(57)【要約】この発明は、柔軟かつ伸張性のある天然または合成の材料からなる皮革類や模造皮革のストリップからシート１０、２２を、その輪郭が所望の最終形態やより小さなサイズに依存するように切り取る工程と、スルーカットまたは孔１２、２４を得るため前記シート１０、２２の表面上に切り込む工程と、支持フレーム１６への同じ連結のためにシート１０、２２を伸張させかつ張力をかける工程との連続的な工程を具えるシートおよび家具要素の製造方法である。
2004508076.tif 000002
【特許請求の範囲】
【請求項１】
シートおよび家具要素の製造方法であって、柔軟かつ伸張性のある天然または合成の材料からなる皮革類や模造皮革のストリップからシート（１０、２２）を、その輪郭が所望の最終形態やより小さなサイズに依存するように切り取る工程と、
スルーカットまたは孔（１２、２４）を得るため前記シート（１０、２２）の表面上に切り込む工程と、
支持フレーム（１６）への同じ連結のためにシート（１０、２２）を伸張させかつ張力をかける工程との連続的な工程を具えるシートおよび家具要素の製造方法。
【請求項２】
スルーカットまたは孔（１２、２４）は、シート（１０、２２）の表面の少なくとも一部に沿って進展することを特徴とする請求項１記載の方法。
【請求項３】
スルーカットまたは孔（１２、２４）は、列をなして配置され、同心ラインに沿って進展し、互いに対して千鳥状をなし、そして、シート（１０、２２）を結合するフレーム（１６）の少なくとも一部と実質上平行となる方法で方向付けされることを特徴とする請求項１または２記載の方法。
【請求項４】
一列の各スルーカットまたは各孔（１２、２４）は、各々隣接する列の２個の隣接するスルーカットまたは孔の間に配設することを特徴する請求項３記載の方法。
【請求項５】
スルーカットまたは孔（１２、２４）は、シート（１０、２２）の種々のゾーンで異なる形状を有する請求項１〜４のいずれか１項記載の方法。
【請求項６】
シート（１０、２２）は、全体としてまたは部分的に、連結したまたはコーティングした布および織物に連結されることを特徴とする請求項１〜５のいずれか１項記載の方法。
【請求項７】
皮革類、模造皮革、および天然または合成の柔軟でかつ伸張性のある材料からなるシート（１０、２２）で構成され、その表面の少なくとも一部に、ストレッチングによって拡張させたスリットまたは開口（１８、２４）を設ける事を特徴とするシートまたは家具要素。
【請求項８】
スリットまたは孔（１８、２４）は、列をなして配置され、同心ラインに沿って進展し、互いに対して千鳥状をなし、そして、シート（１０、２２）を結合するフレーム（１６）の少なくとも一部と実質上平行となる方法で方向付けされることを特徴とする請求項７記載のシートまたは家具要素。
【請求項９】
シート（１０）は、対向サイドにおいて前部に伸ばされた背もたれとの連続性を維持して作り上げられた一体化ボディ（１４）を形成することを特徴とする請求項７または８記載のシート。
【請求項１０】
前記シート（１０、２２）に、一体的周縁ゾーン（２０、２６）から選択された支持フレーム（１６）に対する固定手段を設け、一体的周縁ゾーンは、カット（１２、２４）の少なくとも一部と、複数個の一体的で境界線的な拡大部（２８）を画定することを特徴とする請求項７〜９のいずれか１項記載のシート。
【発明の詳細な説明】
【０００１】
【発明の背景】
発明分野
この発明は、シートおよび家具要素（ｆｕｒｎｉｓｈｉｎｇｓ ｅｌｅｍｅｎｔｓ）の製造方法に関する。
この発明はまた、そのようにして得られたシートおよび家具要素に関する。
さらに、この発明は、一部品のみまたは幾つかの部品によって構成され、シート、アームチェアおよび他の家具要素を形成するため、木材、金属、竹、プラスチック材料またはその他の材料からなるフレームに結合されるシートの製造方法に関する。
【０００２】
この明細書中の記載およびクレームにおいて用いられている用語「家具要素」とは、例えばベッドヘッド（ｂｅｄ−ｈｅａｄｓ）とベッド、アームチェアカバー、ハンモック、スクリーンおよびパネルなどのように家屋内で使用される家具のいずれかの部品を表すことを意図する。
この発明の方法は、特に柔軟でかつ伸張性の材料に適用され、１以上のレイヤーによって構成され、できる限り非剛体のフェルトおよび支持体に連結させる。
【０００３】
【従来技術】
知られているように、家具の分野において、チェア、アームチェアおよびソファーベッドのような家具の部品を具現化するため、皮革類、並びに、天然あるいは人工のいずれかの皮革類と同種の材料の使用が伝統的に広範囲にわたっている。
これらの材料は、特に天然のものであるならば、高品質の製品を得ることができ、また珍重され、抵抗特性もまた有する。それらの使用は、前述した家具の部品用のカバーの具現化には限定されず、特にチェアおよびアームチェアの場合には、シート全体を形成することを可能にする。
【０００４】
これらの適用において、好適材料は、適当な厚さの皮革であり、快適な形状を得るため縫い付けられるか、または適したモールドによって成型されることができる。
この種の従来の形成方法は、完成したボディ、すなわち、実際の座部、背もたれ、およびアームをもつ可能な両側面を有するボディを得ることを可能にする。
この形成方法は、その後、支持フレームに組み立てられる頑丈で成型された一体をなすボディを実現できると同時に、欠点を有している。
【０００５】
かかる欠点の一つは、そのようにして形成された加工品が、例えば座部または背もたれを有する一部品のみからなるかあるいは別個の部品からなるかとは関係なく、弾性特性に劣り、また、人間工学の面を考慮に入れて成形されているのに、全てのユーザに対して常にかつ直接的に適した快適さは提供しない。上記で述べた剛性のため、それらの形態は、互いに異なる身体的な特徴をもつ被験者には好ましくない。
【０００６】
更なる欠点は、一体化ボディを得るため、またはシート要素を分離するため、開始以来の処分で、多くの材料、すなわち、拡張された皮革表面を有することが必要であり、この皮革表面は、かなりの無駄または限界ゾーンおよび再利用できない切取り部分を生じさせる。
【０００７】
この欠点は、深刻である。すなわち、市場で利用できる皮革は、制限された寸法をもち、それ故、前記皮革よりも大きな伸びをもつ加工品を得ることは不可能であるので、結果として、そのような伸張させた加工品を具現化するには、幾つかの皮革パーツを互いに接合して利用することが必要である。
更なる欠点は、得られた加工品の外観に関するものであって、前記加工品の均一かつ単調の表面仕上が、しばしば家具全般の調和の点で制約を受けることである。
【０００８】
【発明の要約】
この発明の目的は、前述した欠点を除去することにある。
より詳細には、この発明の目的は、皮革類、模造皮革、ならびに、適当な耐応力とともに快適さ、柔軟さおよび弾性において高い特性を有する天然および合成の皮革類と同種の材料から、シートおよび家具要素を具現化するための方法を提供することにある。
【０００９】
この発明の更なる目的は、使用される材料の初期伸びに対しより大きい伸びをもつシートまたはカバー表面を得ることを可能にし、従って、前記材料の必要量を著しく減少させ、結果として、無駄と損失を減少させ、そして、市場において利用可能な皮革ストリップを直接使用する条件内にある方法を提供することにある。
【００１０】
この発明の更なる目的は、美的な面から多くの代替品に従って使用される材料の構成を可能とする方法を提供することにある。
この発明の更なる目的は、シートおよび家具要素、特に、柔軟さや弾性の特性をもち、それぞれに体格のよいユーザに対して高い快適さを確保するのに適するアームチェアやチェアを提供することにある。
この発明の更なる目的は、良好な美的効果を示すシートおよび家具要素を得ることにある。
【００１１】
この発明によれば、以下の記載によって明らかとなる上記目的およびさらなる他の目的は、 シートおよび家具要素の製造方法であって、柔軟かつ伸張性のある天然または合成の材料からなる皮革類や模造皮革からシート（１０、２２）を、その輪郭が所望の最終形態やより小さなサイズに依存するように切り取る工程と、スルーカットまたは孔（１２、２４）を得るため前記シート（１０、２２）の表面上に切り込む工程と、支持フレーム（１６）への同じ連結のためにシート（１０、２２）を伸張させかつ張力をかける工程との連続的な工程を具えるシートおよび家具要素の製造方法によって達成される。
【００１２】
好ましくは、使用される材料は、革またはなめした皮である。
シート表面に得られるスルーカットまたは孔は、いかなる形状およびサイズを有していてもよく、また、前記 シートの少なくとも一部に沿って進展することがよい。
【００１３】
好ましくは、スルーカットまたは孔が、列をなして配置され、同心ラインに沿って進展し、互いに対して千鳥状をなし、そして、シートを結合するフレーム（１６）の少なくとも一部と実質上平行となる方法で方向付けされることである。より好ましくは、一列の各スルーカットまたは各孔を、各々隣接する列の２個の隣接するスルーカットまたは孔の間に配設することである。
【００１４】
スルーカットまたは孔は、所望の特性に応じて、シートの表面全体にわたって同じ形状を有していても、あるいは、ゾーンからゾーンにわたって異なる形状を有していてもよい。さらに、前記スルーカットまたは孔は、小穴（ｅｙｅｌｅｔｓ）を形成する材料を除去することで得ることができる。
皮革類、模造皮革またはこれらと同様な天然または合成の柔軟でかつ伸張性のある材料からなるシートを、全体としてまたは部分的に、連結したまたはコーティングした布または織物に連結してもよい。
【００１５】
【発明を実施するための最良の形態】
この発明のシートおよび家具要素の製造方法は、この方法によって製造されたシートおよび家具要素の特徴と同様、好適な制限されない実施例を説明する添付した図面の形態を参酌しながら以下で記載する結果によって、よく理解することができるであろう。
この発明を示す図１〜３を参照すると、柔軟性と伸張性のある材料、好ましくは皮革のストリップから最初に切り出され、全体として符号１０が付されたシートは、その輪郭が、所望の最終形態に応じて変化する輪郭や、具現化されるためのシートまたは家具要素の寸法よりも小さな寸法を有している。
【００１６】
上記した図に表された例では、皮革製のシート１０は、傾向的には円形状の輪郭を有し、一体化ボディ、すなわち、シートと、前方部分において反対側との連続性を失うことなく延長された背もたれとで構成されるボディの形成向けに使用される。
【００１７】
この発明の方法によれば、シート１０は、１枚の素材から手動または機械的な切断操作によって、前記した形態、すなわち、傾向的に円形表面を得る。
その後、シート１０は、その表面上に、好ましくは同心ラインに沿って進展させた複数個のスルーカット１２を行う切込み工程に入る。前記カット１２は、互いに対し間隔をおいて千鳥状をなし、かつ同心ラインに沿って配置されている。それらのカット１２は、シート１０の表面全体に沿って、あるいは、シート１０の一部のみに沿って形成すればよい。図１に、周縁ゾーン、すなわち、背もたれやシート１４の両側に対応するシート１０の部分にだけ限定してカット１２を設けたシート１０を一例として示す。
【００１８】
その後、シート１０に伸びおよび張力をかけて、好ましくは金属ロッドからなる支持フレーム１６に連結させることによって、一体化ボディをもつアームチェアを形成する。
シート１０の伸びは、シート１０の表面上に同数のスリットの形成をもつカット１２の開口に伴って生じる。そのような伸びは、一定であっても、可変であってもよく、または交互であってもよい。一例として、そのような伸びは１０〜７０ｍｍの範囲であることが好ましく、一方、カット１２の同心ライン間に存在する距離は、好ましくは３〜１３ｍｍの範囲であることが好ましい。カット１２は、好適な実施例に従い、打ち抜き（ｄｉｅ−ｃｕｔｔｉｎｇ）によって、すなわち、シート１０上に押し込まれた鋭利なメタルテンプレートを用いて具現化される。シート１０上にスルーカット１２を形成する位置を決めるような打ち抜きは、打ち抜き幅に従って、一回のみの作業工程または連続的な工程において具現化することができる。
【００１９】
得られるべき結果によって適当な長さや方向性をもつカット１２の列は、択一的にウォータージェット又はレーザーによって自動操作で形成してもよい。
カット１２の方向は、いかなる場合であっても、シート１０をその後に結合するフレーム１６の少なくとも一部に対して平行若しくは傾向的に平行である結果となり、ストレッチしている間中、そのようなカット１２は開口して、変化可能な幅、例えば図３の符号１８で示す菱形状のスリットを形成する。
【００２０】
カット１２を画定するシート１０の周縁ゾーンは、一体をなし、十分な剛性をもつエッジ２０を構成して、フレーム１６との連結ラインを形成する。前記エッジ２０の高さは、例えば、２０〜８０ｍｍの範囲であることが好ましい。
次の工程は、フレーム１６に対しシート１０を手動ストレッチングの適用にある。すなわち、シート１０は、その種々の部分に適用されるストレッチングに従って、広げられ、かつカット１２がおおよそ著しい広さまで開口する。
【００２１】
フレーム１６に対するシート１０の連結は、それ自体が知られている手段によって、例えばねじまたは締付け（ｐｉｎｃｈｉｎｇ）によって具現化され、択一的には、シート１０のエッジ２０を、同種の材料からなるストリップを挿入して二重にして、フレーム１６の上側部分上に取り付けられるべく連続ポケットを形成してもよい。
図４及び５は、この発明の方法によって得られた第２実施例のシートを模式的に示したものである。
【００２２】
この実施例では、シート２２は、従来のチェアのシート支持体の形成用であり、実質的には四角形の基本構成を有する。
シート２２の表面上に、複数個のスルーホール２４が、例えば同一方向に方向付けされ、千鳥状をなし、平行ラインに沿って進展するように形成されている。前記カットは、シートのカットに対するのと同様、打抜き、レーザー又はウォータージェット切断によって具現化され、例えばスリット帯のない一体的または連続的なエッジ２６によって境界線的に画定される。
チェアフレームにシート２２を連結するため、境界線的なエッジ２６は、その後のねじ又は同様な手段でテンションをかけるための複数の一体的な拡大部２８を形成することを目的とする。
【００２３】
しかしながら、シート２２にはまた、前記チェアの支持フレームに対し、如何なる手段による連結に関し、エッジ２０と類似する境界線的な連続エッジを設けてもよい。そのような代案では、シート２０は、ギザギザ（ｉｎｄｅｎｔａｔｉｏｎ）を形成する拡大部２８ではないであろう。
テンションとストレッチングに従って、カット２４は開口し、広げられ、そして図５に示すようなシートが生じる。
【００２４】
この発明の方法に従って得られ、すなわち、カット１２、２４を設けたシート１０、２２を利用することによって、ボディに対する高い適応性や前記カットの形成によって生じる弾性による柔軟さの特徴を有するシートが得られる。
加えて、そのようにして得られたシートは、通気性がよく、それゆえに清潔感があり、多少の広さまで開口するカットの連続性による美的特性を際立たせる。カット１２、２４のデザインと頻度に従って、シート１０、２２は、多少の伸びとストレッチングを施すゾーンで、差別化された弾性を持つようにしてもよい。
【００２５】
この発明の方法によって生じる無視できない更なる利点は、素材の節約に関するものであって、初期表面よりも大きな表面を得ることが可能である。
この発明は、制限されない実施例や説明図によって単に報告されたいくつかの特定の実施例を参照しながら上述してきたけれども、上述した記載を考慮して多くの修正や変形を導入することができることは当業者であれば明らかであろう。
【００２６】
例えば、カット１２、１４は、上記しかつ図解したものに対し異なる進展や配置を有していてもよく、及び／又は、異なる形状をもつゾーン、又は小穴（ｅｙｅｌｅｔｓ）を形成する材料の除去によって生じる開口を有していてもよい。
加えて、それは、シートの具現化に特に有利であるけれども、この発明の方法は、他の種類の製品、例えば、家具要素や、カバー、ハンモック、スクリーン、ベッドヘッドなどを得るのに使用してもよい。
【００２７】
連結され又は被覆された布又は織物が、皮革類、模造皮革、又はシート１０、２２の拡大部の全体又は一部のために使用される天然若しくは合成の材料に連結されてもよい。
従って、この発明は、以下のクレームの精神及び保護範囲内にある全ての代案及び変形を有する。
【図面の簡単な説明】
【図１】例えばこの発明の方法に従うアームチェア用一体化ボディを具現化するため利用される材料の概略展開平面図である。
【図２】この発明の方法に従って得られた一体化ボディを設けたアームチェアの概略斜視図である。
【図３】図２のアームチェアを構成するボディの一部の概略拡大図である。
【図４】この発明の方法に従うシートを具現化するのに適する材料の更なる概略展開平面図である。
【図５】一例としてチェアを形成するため、図４の材料の開発によって得られた概略平面図である。
【国際公開パンフレット】
2004508076.tif 000003
2004508076.tif 000004
2004508076.tif 000005
2004508076.tif 000006
2004508076.tif 000007
2004508076.tif 000008
2004508076.tif 000009
2004508076.tif 000010
2004508076.tif 000011
2004508076.tif 000012
2004508076.tif 000013
2004508076.tif 000014
2004508076.tif 000015
2004508076.tif 000016
2004508076.tif 000017
2004508076.tif 000018
2004508076.tif 000019
2004508076.tif 000020
【国際調査報告】
2004508076.tif 000021
2004508076.tif 000022